(57)【要約】【課題】静止画像記録装置において、限られた容量のメモリを用いて標準解像度プレビュー画像の表示モードと連続撮影モードを実現させる。【解決手段】撮像手段と、撮像手段により得られた画像データを用いて表示用画像データを生成する表示用画像データ生成手段と、表示用画像データを表示装置に出力する表示手段と、表示用画像データを記憶する表示用画像データ領域と撮像手段により得られた画像データから生成された記録用画像データを記憶する記録用画像データ領域とが割り当てられたメモリ手段と、記録用画像データを記録媒体に記録する記録手段と、モード設定手段とを備え、モード設定手段から設定される第１の撮影モードと第２の撮影モードとでメモリ手段の表示用画像データ領域と記録用画像データ領域との割合いを変更する静止画像記録装置。【選択図】図１
2007104501.tif 000002
【特許請求の範囲】
【請求項１】
撮像手段と、
前記撮像手段により得られた画像データを用いて表示用画像データを生成する表示用画像データ生成手段と、
前記表示用画像データを表示装置に出力する表示手段と、
前記表示用画像データを記憶する表示用画像データ領域と前記撮像手段により得られた画像データから生成された記録用画像データを記憶する記録用画像データ領域とが割り当てられたメモリ手段と、
前記記録用画像データを記録媒体に記録する記録手段と、
モード設定手段と、を備え、
前記モード設定手段から設定される第１の撮影モードと第２の撮影モードとで前記メモリ手段の前記表示用画像データ領域と前記記録用画像データ領域との割合いを変更する、ことを特徴とする静止画像記録装置。
【請求項２】
前記表示手段は、前記表示用画像データを外部表示装置に出力する出力端子を更に備え、前記出力端子に接続される前記外部表示装置の接続状態を示す検出信号を前記モード設定手段に与えて前記第１の撮影モードと前記第２の撮影モードを設定する、ことを特徴とする請求項１に記載の静止画像記録装置。
【請求項３】
前記表示用画像データ生成手段は、
１画面あたり第１の画素数を有する表示用画像データを生成する第１表示用画像データ生成手段と、
前記第１の画素数より少ない第２の画素数を有する表示用画像データを生成する第２表示用画像データ生成手段と、を有し、
前記第１の撮影モードにおいては、前記メモリ手段の前記表示用画像データ領域を大きくすると共に前記記録用画像データ領域を小さくし、前記第１の画素数を有する表示用画像データを前記メモリ手段の前記表示用画像データ領域に記憶し、
前記第２の撮影モードにおいては、前記メモリ手段の前記表示用画像データ領域を小さくすると共に前記記録用画像データ領域を大きくし、前記第２の画素数を有する表示用画像データを前記メモリ手段の前記表示用画像データ領域に記憶する、ことを特徴とする請求項１に記載の静止画像記録装置。
【請求項４】
前記第１の画素数を有する表示用画像データを出力する出力端子を更に備え、
前記出力端子に前記第１の画素数を有する表示用画像データを表示可能な外部表示装置が接続されたことを検出した検出信号を前記モード設定手段に与えて前記第１の撮影モードとする、ことを特徴とする請求項３に記載の静止画像記録装置。
【請求項５】
前記表示用画像データ領域は、
少なくとも２フレーム分の前記表示用画像データを記憶することが可能な大きさを有する、ことを特徴とする請求項１に記載の静止画像記録装置。
【請求項６】
前記表示用画像データ領域は、
前記第１の撮影モードにおいては、少なくとも２フレーム分の前記第１の画素数を有する表示用画像データを記憶することが可能な大きさを有し、前記第２の撮影モードにおいては、少なくとも２フレーム分の前記第２の画素数を有する表示用画像データを記憶することが可能な大きさを有する、ことを特徴とする請求項３に記載の静止画像記録装置。
【請求項７】
前記第２の撮影モードにおいては、前記大きくされた記録用画像データ領域に順次前記記録用画像データを記憶させて連続撮影を行う、ことを特徴とする請求項３、４または６のいずれかに記載の静止画像記録装置。
【請求項８】
操作解除状態、第１の操作状態及び第２の操作状態とに設定可能な撮影指示手段を更に備え、
前記第１の撮影モードにおいて、
前記表示用画像データ生成手段は、前記撮影指示手段が前記第１の操作状態となったことに応じて前記メモリ手段の前記表示用画像データ領域に記憶された表示用画像データを静止画として繰り返し出力し、
前記第１の操作状態から前記第２の操作状態となったことに応じて前記表示中の表示用画像データに対応する前記記録用画像データを前記記録用画像データ領域に格納する、ことを特徴とする請求項１または２に記載の静止画像記録装置。
【請求項９】
撮像ステップと、
前記撮像ステップにより得られた画像データを用いて表示用画像データを生成する表示用画像データ生成ステップと、
前記表示用画像データを表示装置に出力する表示出力ステップと、
前記表示用画像データを記憶する表示用画像データ領域と前記撮像手段により得られた画像データから生成された記録用画像データを記憶する記録用画像データ領域とのメモリへの割り当てを制御するメモリ制御ステップと、
前記記録用画像データを記録媒体に記録する記録ステップと、
モード設定ステップと、を備え、
前記メモリ制御ステップは、前記モード設定ステップで設定される第１の撮影モードと第２の撮影モードとで前記メモリの前記表示用画像データ領域と前記記録用画像データ領域との割合いを変更する、ことを特徴とする静止画像記録方法。
【請求項１０】
前記出力端子に前記第１の画素数を有する表示用画像データを表示可能な外部表示装置が接続されたことを検出する検出ステップを更に備え、
前記検出ステップが前記外部表示装置の接続を検出したときに前記モード設定ステップにより前記第１の撮影モードとする、ことを特徴とする請求項９に記載の静止画像記録方法。
【請求項１１】
前記表示用画像データ領域は、前記第１の撮影モードにおいては、少なくとも２フレーム分の前記第１の画素数を有する表示用画像データを記憶することが可能な大きさを有し、
前記第２の撮影モードにおいては、少なくとも２フレーム分の前記第２の画素数を有する表示用画像データを記憶することが可能な大きさを有する、ことを特徴とする請求項１０に記載の静止画像記録方法。
【請求項１２】
コンピュータに請求項９乃至１１のいずれかに記載された静止画像記録方法の各ステップを実行させるためのプログラム。
【請求項１３】
請求項１２に記載されたプログラムを記録した、コンピュータで読取り可能な記録媒体。
【発明の詳細な説明】
【技術分野】
【０００１】
本発明は静止画像記録装置、静止画像記録方法、プログラム及び記録媒体に関し、特に高解像度の静止画像を撮影し、撮影した静止画像を記録可能な静止画像記録装置、静止画像記録方法、プログラム及び記録媒体に関する。
【背景技術】
【０００２】
従来、被写体を撮影してデジタル静止画像信号として磁気テープ、メモリカード、光ディスク等に記録するデジタル静止画カメラが登場している。
【０００３】
また近年では、撮像素子に使われる半導体撮像素子の素子数も飛躍的に増加したこともあり、デジタル静止画像信号も標準的な解像度を有する標準解像度デジタル静止画像信号のみならず、数百万画素程度の高精細（High Definition：ＨＤ）な解像度を有する高解像度デジタル静止画像信号も記録可能となっている（例えば、特許文献１参照）。
【０００４】
この様なデジタル静止画カメラにおいては、撮影を開始する前にＣＣＤ(Charge Coupled Device）等の撮像素子により得られた画像信号から撮影画面を確認するためのプレビュー画像信号を生成し、ビューファインダの液晶パネル等に表示している。ユーザは表示されたプレビュー画像を確認しながら撮影画面の構図やシャッターチャンスを決定し、シャッターを押すことが可能とされている。
【特許文献１】特開２０００−１３８８８９号公報
【発明の開示】
【発明が解決しようとする課題】
【０００５】
しかしながら、前述のように高解像度デジタル静止画像信号で撮影し、記録が可能なデジタル静止画カメラにおいては、撮影された高解像度デジタル静止画像信号を一旦メモリに格納し、メモリに格納された高解像度デジタル静止画像信号を用いてプレビュー用のプレビュー画像信号を生成する必要がある。そのため、プレビュー画像信号を生成するためのワーク領域としてメモリ上に比較的大きな空きメモリ容量を確保しておく必要がある。
【０００６】
特に高解像度デジタル静止画像信号を用いて複数枚撮影する連続撮影時（連写時）にあっては、標準解像度デジタル静止画像信号のプレビュー画像信号を生成する場合に比較して１画面あたりに必要とするメモリの容量が数倍となる。従って、メモリ容量の不足が原因で連写撮影の間隔や連写撮影できる枚数が制限されるという問題が生じる。
【０００７】
従って、本発明は、メモリ領域の割り当てを変更させることにより、比較的少ないメモリ容量で、高解像度なプレビュー画像信号でのモニターが可能な第１の撮影モードと、連続撮影が可能な第２の撮影モードを可能とした静止画像記録装置、静止画像記録方法、プログラム及び記録媒体の提供を目的とする。
【課題を解決するための手段】
【０００８】
本発明の実施形態においては、撮像手段と、撮像手段により得られた画像データを用いて表示用画像データを生成する表示用画像データ生成手段と、表示用画像データを表示装置に出力する表示手段と、表示用画像データを記憶する表示用画像データ領域と撮像手段により得られた画像データから生成された記録用画像データを記憶する記録用画像データ領域とが割り当てられたメモリ手段と、記録用画像データを記録媒体に記録する記録手段と、モード設定手段とを備え、モード設定手段から設定される第１の撮影モードと第２の撮影モードとでメモリ手段の表示用画像データ領域と記録用画像データ領域との割合いを変更する静止画像記録装置を提供する。
【０００９】
本発明の他の実施形態においては、前記の静止画像記録装置において、表示用画像データ生成手段は、１画面あたり第１の画素数を有する表示用画像データを生成する第１表示用画像データ生成手段と、第１の画素数より少ない第２の画素数を有する表示用画像データを生成する第２表示用画像データ生成手段とを有し、第１の撮影モードにおいては、メモリ手段の表示用画像データ領域を大きくすると共に記録用画像データ領域を小さくし、第１の画素数を有する表示用画像データをメモリ手段の表示用画像データ領域に記憶し、第２の撮影モードにおいては、メモリ手段の表示用画像データ領域を小さくすると共に記録用画像データ領域を大きくし、第２の画素数を有する表示用画像データをメモリ手段の表示用画像データ領域に記憶する静止画像記録装置を提供する。
【００１０】
本発明の更に他の実施形態においては、前記の静止画像記録装置において、表示用画像データ領域は、第１の撮影モードにおいては、少なくとも２フレーム分の第１の画素数を有する表示用画像データを記憶することが可能な大きさを有し、第２の撮影モードにおいては、少なくとも２フレーム分の第２の画素数を有する表示用画像データを記憶することが可能な大きさを有する静止画像記録装置を提供する。
【００１１】
本発明の更に他の実施形態においては、前記の静止画像記録装置において、第２の撮影モードにおいては、大きくされた記録用画像データ領域に順次記録用画像データを記憶させて連続撮影を行う静止画像記録装置を提供する。
【００１２】
本発明の更に他の実施形態においては、前記の静止画像記録装置において、操作解除状態、第１の操作状態及び第２の操作状態とに設定可能な撮影指示手段を更に備え、第１の撮影モードにおいて、表示用画像データ生成手段は、撮影指示手段が第１の操作状態となったことに応じてメモリ手段の表示用画像データ領域に記憶された表示用画像データを静止画として繰り返し出力し、第１の操作状態から第２の操作状態となったことに応じて表示中の表示用画像データに対応する記録用画像データを記録用画像データ領域に格納する静止画像記録装置を提供する。
【００１３】
本発明のさらに他の実施形態においては、撮像ステップと、撮像ステップにより得られた画像データを用いて表示用画像データを生成する表示用画像データ生成ステップと、表示用画像データを表示装置に出力する表示出力ステップと、表示用画像データを記憶する表示用画像データ領域と撮像手段により得られた画像データから生成された記録用画像データを記憶する記録用画像データ領域とのメモリへの割り当てを制御するメモリ制御ステップと、記録用画像データを記録媒体に記録する記録ステップと、モード設定ステップとを備え、メモリ制御ステップは、モード設定ステップで設定される第１の撮影モードと第２の撮影モードとでメモリの表示用画像データ領域と記録用画像データ領域との割合いを変更する静止画像記録方法を提供する。
【発明の効果】
【００１４】
本発明の静止画像記録装置及び静止画像記録方法によれば、１枚撮影時は、撮影者がプレビュー画像と撮影された確認用の画像とも高精細な画像を見て確認できるので、シャッターチャンス、フォーカス、画角等の確認もし易い。また連続撮影時（連写時）は静止画処理回路や記録回路における処理でのメモリアクセスレートを上げることができるので、連続撮影枚数を多くとることが出来、また連続撮影する間隔も短かく出来、高機能な連続撮影動作を行うことができる。
【発明を実施するための最良の形態】
【００１５】
＜実施形態１＞
本発明の静止画像記録装置の第１の実施形態について図１の機能ブロック図を用いて説明する。
【００１６】
１０１はＣＣＤ等の撮像素子から構成される撮像部、１０２はカメラ信号処理回路、１０３は静止画信号処理回路である。さらに、１０４は高解像度静止画信号用の高解像度プレビュー画像生成回路、１０５は標準解像度静止画信号の標準解像度プレビュー画像生成回路、１０６はスイッチ回路である。またさらに、１０７は外部の表示装置が接続されるプレビュー画像出力端子、１０８は標準解像度に対応したＬＣＤ（Liquid Crystal Display）等の表示装置、１０９は記録回路である。さらに、１１０は記録部であり、半導体メモリ、ＣＤ−ＲやＤＶＤなどの光記録媒体、磁気記録媒体などの記録媒体を含む。１１１はメモリインターフェース、１１２はメモリ、１１３は制御回路、１１４は制御回路へのモード入力部である。
【００１７】
また、ユーザが撮影を行うときの撮影指示手段として、シャッター回路１１５が設けられ、シャッターボタン１２０の押下げ状態を検出して、検出信号を制御回路１１３に供給する。シャッターボタン１２０は、非押し下げ状態から半押し状態１２０−１と全押し状態１２０−２の２つの状態を取ることができ、半押し状態１２０−１の位置でクリック動作を押し下げている指に与え、撮影者に半押し状態であることを認知させる構成となっている。すなわち、シャッターボタン１２０は、解除状態として押されていない非押し下げ状態、すなわち操作解除状態、第１の操作状態として半押しの状態、第２の操作状態として全押しの状態となる。勿論、押し下げる形態のシャッターボタンあるいはシャッターキーに限られず、スライド型など色々な形態がありうる。
【００１８】
１枚の高解像度静止画像を撮影したい場合、撮影者はスイッチの表示や表示装置１０８に表示されるメニュー等を見ながらモード入力部１１４を操作して１枚撮影のモードを設定し、その結果、１枚撮影モードのモード指示信号がモード入力部１１４から制御回路１１３に入力される。
【００１９】
制御回路１１３は１枚撮影モードのモード指示信号をモード入力部１１４から受けると、メモリインターフェース１１１に対して図３（ａ）に示す高解像度プレビュー用マップに従ったメモリアロケーションでメモリ１１２にアクセスするように設定する。
【００２０】
ここで図３（ａ）に示すプレビューワーク領域ａ３は、例えば高解像度画像として１９２０画素×１０８０画素の高解像度デジタル静止画像信号を少なくとも２枚以上（すなわち、２画面分以上）は記憶できるだけの領域を有する。
【００２１】
撮像部１０１に有する撮像素子からカメラ出力データが入力されると、カメラ信号処理回路１０２で輝度及び色差信号データに信号処理され、カメラ画像データとしてメモリインターフェース１１１を介して図３（ａ）に示すメモリ１１２のカメラ画像データワーク領域ａ１に記憶される。
【００２２】
高解像度プレビュー画像生成回路１０４は、カメラ信号処理回路１０２で処理されたカメラ画像データを、メモリインターフェース１１１を介して第３図（ａ）に示すメモリ１１２のカメラ画像データワーク領域ａ１から読み出し、高解像度プレビュー画像（たとえば、１９２０画素×１０８０画素）を生成する。生成された高解像度プレビュー画像はメモリインターフェース１１１を介して図３（ａ）に示すメモリ１１２のプレビューワーク領域ａ３の０側に高解像度プレビュー画像を記憶する。
【００２３】
そして次のビデオフレームに同期して、高解像度プレビュー画像生成回路１０４はメモリインターフェース１１１を介して、メモリ１１２のプレビューワーク領域ａ３の０側に記憶された高解像度プレビュー画像（１９２０画素×１０８０画素）をスイッチ回路１０６の固定端子ａと標準解像度プレビュー画像生成回路１０５に出力する。同時に、カメラ信号処理回路１０２で処理されて得られたカメラ画像データを、メモリインターフェース１１１を介して図３（ａ）に示すメモリ１１２のカメラ画像データワーク領域ａ１から読み出して高解像度プレビュー画像を生成し、メモリインターフェース１１１を介して図３（ａ）に示すメモリ１１２のプレビューワーク領域ａ３の１側に記憶する。
【００２４】
高解像度プレビュー画像生成回路１０４は、上記で説明した動作を所定のビデオフレーム間隔、例えば１／３０秒間隔で繰り返し、動画像としての高解像度プレビュー画像を生成する。このようにメモリ１１２をバンク構成で使用しているのでＯＳＤ（On Screen Display）や特殊効果などがし易いような構成となる。
【００２５】
スイッチ回路１０６では、制御回路１１３からの信号により可動端子ｃが固定端子ａを選択することにより、高解像度プレビュー画像生成回路１０４で生成された高解像度プレビュー画像（１９２０画素×１０８０画素）を出力端子１０７に出力する。また標準解像度プレビュー画像生成回路１０５は高解像度プレビュー画像生成回路１０４から供給された高解像度プレビュー画像を標準解像度プレビュー画像（たとえば、７２０画素×４８０画素）に変換して表示装置１０８に出力する。
【００２６】
このように、シャッターボタン１２０が操作解除状態の場合には、出力端子１０７に出力される高解像度プレビュー画像も、表示装置１０８に供給される標準解像度プレビュー画像も動画像となっている。
【００２７】
撮影者は高解像度プレビュー画像生成回路１０４で生成された高解像度プレビュー画像を、出力端子１０７に接続される不図示の高解像度モニタや、標準解像度プレビュー画像に変換されて表示装置１０８に表示されたプレビュー画面を見ながら、画角やシャッターチャンスを確認してシャッターボタン１２０を半押し、すなわち図１のシャッターボタン１２０の１２０−１の位置まで押し下げ操作する。シャッターボタン１２０が半押しされると、シャッター回路１１５は半押しに対応する制御信号を制御回路１１３に供給する。  カメラ信号処理回路１０２はシャッター回路１１５からの制御信号を受け、シャッターボタン１２０が半押しされたタイミングで撮影された静止画像であるカメラ画像データを、メモリインターフェース１１１を介して図３（ａ）に示すメモリ１１２のカメラ画像データワーク領域ａ１に記憶する。
【００２８】
そして、制御回路１１３は、メモリインターフェイスを制御し、シャッターボタン１２０が半押し状態となったことに応じて、メモリ１１２に対するカメラ信号処理回路１０２からの画像データの書き込みを禁止する。その後、シャッターボタン１２０の半押し状態が解除されると、メモリ１１２に対するカメラ信号処理回路１０２からの画像データの書き込みを開始する。
【００２９】
高解像度プレビュー画像生成回路１０４は図３（ａ）に示すメモリ１１２のカメラ画像データワーク領域ａ１に記憶されたカメラ画像データを、メモリインターフェース１１１を介して読み出して高解像度プレビュー静止画像を生成し、メモリインターフェース１１１を介して図３（ａ）に示すメモリ１１２のプレビューワーク領域ａ３の０側又は１側に高解像度プレビュー静止画像として記憶する。
【００３０】
そしてつぎのビデオフレームに同期して、高解像度プレビュー静止画像をメモリインターフェース１１１を介してプレビューワーク領域ａ３の０側又は１側から読み出し、スイッチ回路１０６の固定端子ａと標準解像度プレビュー画像生成回路１０５に出力する。標準解像度プレビュー画像生成回路１０５は高解像度プレビュー画像生成回路１０４から供給される確認のための高解像度プレビュー静止画像を標準解像度（ＳＤ画像）に変換して標準解像度プレビュー静止画像として表示装置１０８に出力する。
【００３１】
撮影者は高解像度プレビュー画像生成回路１０４で生成された確認用の高解像度プレビュー静止画像を、出力端子１０７に接続される不図示のモニタや表示装置１０８で確認し、記録媒体に記録したい場合はシャッターボタン１２０を更に深く、図１の１２０−２の位置まで押し込み全押し状態とする操作を行う。
【００３２】
シャッターボタン１２０が全押し状態となると、シャッター回路１１５は全押し状態を示す制御信号を制御回路１１３に供給する。すると、静止画処理回路１０３はカメラ信号処理回路１０２で処理され記憶されたカメラ画像データを、メモリインターフェース１１１を介して図３（ａ）に示すメモリ１１２のカメラ画像データワーク領域ａ１から読み出す。そして読み出したカメラ画像データに対して、静止画処理回路１０３で記録用にＪＰＥＧ等の圧縮処理を施し、メモリインターフェース１１１を介して図３（ａ）に示すメモリ１１２の静止画処理ワーク領域ａ２に記憶する。
【００３３】
次に記録回路１０９はメモリインターフェース１１１を介して静止画処理回路１０３で圧縮され、図３（ａ）に示すメモリ１１２の静止画処理ワーク領域ａ２に記憶された静止画データを読み出し、ＥＣＣ等の記録用の信号処理を行ない、記録部１１０に出力して不図示の記録媒体に静止画を記録する。
【００３４】
次に撮影者が複数枚数の静止画を撮影（連写撮影）したい場合、不図示の設定方法（スイッチの表示やＬＣＤ等の表示装置１０８に表示されるメニュー等から）で連続撮影のモードを設定し、連続撮影のモードであるモード信号が入力端子１１４から入力される。
【００３５】
制御回路１１３は連続撮影モードの指示信号が入力されると、メモリインターフェース１１１に対して、図３（ｂ）に示す連続静止画撮影用メモリマップのメモリアロケーションに従ってメモリ１１２にアクセスするように設定する。
【００３６】
ここで図３（ｂ）に示すプレビューワーク領域ｂ３は、例えば標準解像度プレビュー画像として、７２０画素×４８０画像を少なくとも２画面以上は置けるだけのメモリ領域を有する。さらに制御回路１１３はスイッチ回路１０６の可動端子ｃに固定端子ｂを選択させる。
【００３７】
端子１０１から不図示のＣＣＤ等の撮像素子からカメラ出力データが入力され、カメラ信号処理回路１０２で輝度／色差データにカメラ信号処理され、カメラ画像データとしてメモリインターフェース１１１を介して図３（ｂ）に示すメモリ１１２のカメラ画像データワーク領域ａ１に記憶されるのは前記で説明した１枚の撮影の場合と同様である。
【００３８】
標準解像度プレビュー画像生成回路１０５はカメラ信号処理回路１０２で処理されたカメラ画像データを、メモリインターフェース１１１を介して図３（ｂ）に示すメモリ１１２のカメラ画像データワーク領域ａ１から読み出し、標準解像度プレビュー画像を生成し、メモリインターフェース１１１を介して図３（ｂ）に示すメモリ１１２のプレビューワーク領域ｂ３の０側に標準解像度プレビュー画像を記憶する。
【００３９】
そしてつぎのビデオフレームに同期して、標準解像度プレビュー画像生成回路１０５はメモリインターフェース１１１を介してメモリ１１２のプレビューワーク領域ｂ３の０側に記憶された標準解像度プレビュー画像をスイッチ回路１０６の固定端子ｂと表示装置１０８に出力する。同時に、その時カメラ信号処理回路１０２で処理されたカメラ画像データ、メモリインターフェース１１１を介して図３（ｂ）に示すメモリ１１２のカメラ画像データワーク領域ａ１から読み出す。
【００４０】
読み出されたカメラ画像データから標準解像度プレビュー画像を生成し、メモリインターフェース１１１を介して図３（ｂ）に示すメモリ１１２のｂ３領域の１に標準解像度プレビュー画像を記憶する。標準解像度プレビュー画像生成回路１０５は前記の動作をビデオのフレーム間隔で繰り返す。
【００４１】
撮影者は標準解像度プレビュー画像生成回路１０５で生成されたプレビュー画像を、出力端子１０７に接続される不図示のモニタや表示装置１０８を視ながら画角、シャッターチャンスを確認してシャッターボタン１２０を１２０−２の位置まで押す。
【００４２】
シャッターボタンが押されたタイミングで、カメラ信号処理回路１０２は入力端子１０１から入力される撮像素子からのデータを取り込み、カメラ信号処理を施してカメラ画像データとしてメモリインターフェース１１１を介して第３図（ｂ）に示すメモリ１１２のカメラ画像データワーク領域ａ１に記憶する。
【００４３】
標準解像度プレビュー画像生成回路１０５はカメラ信号処理回路１０２で処理をされ記憶されたカメラ画像データを、メモリインターフェース１１１を介して図３（ｂ）に示すメモリ１１２のカメラ画像データワーク領域ａ１から読み出し、確認のための標準解像度プレビュー画像を生成し、メモリインターフェース１１１を介して図３（ｂ）に示すメモリ１１２のプレビューワーク領域ｂ３の０側または１側に標準解像度プレビュー画像として記憶する。
【００４４】
そしてつぎのビデオフレームに同期して標準解像度プレビュー画像をメモリインターフェース１１１を介してプレビューワーク領域ｂ３から読み出し、スイッチ回路１０６の端子ｂと表示装置１０８に出力する。同時に静止画処理回路１０３はカメラ信号処理回路１０２で処理をされたカメラ画像データを、メモリインターフェース１１１を介して図３（ｂ）に示すメモリ１１２のカメラ画像データワーク領域ａ１から読み出し、記録用にＪＰＥＧ等の圧縮処理を施し、メモリインターフェース１１１を介して図３（ｂ）に示すメモリ１１２の静止画処理ワーク領域ｂ２に記憶する。
【００４５】
次に記録回路１０９はメモリインターフェース１１１を介して図３（ｂ）に示すメモリ１１２の静止画処理ワーク領域ｂ２に記憶された静止画処理回路１０３で圧縮された静止画データを読み出し、ＥＣＣ等の記録用の信号処理を行ない、出力端子１１０から出力し、不図示の記録媒体に撮影された静止画を記録し始める。
【００４６】
カメラ信号処理回路１０２は記録回路１０９の記録処理が終わるのを待つ必要はなく、次のカメラ画像データの処理を開始し、前記のメモリインターフェース１１１を介して図３（ｂ）に示すメモリ１１２のカメラ画像データワーク領域ａ１に記憶し、標準解像度プレビュー画像生成回路１０５は前記のカメラ画像データから標準解像度プレビュー画像を生成する。
【００４７】
そして静止画処理回路１０３は前記と同様にカメラ信号処理回路１０２で処理をされたカメラ画像データを、メモリインターフェース１１１を介して図３（ｂ）に示すメモリ１１２のカメラ画像データワーク領域ａ１から読み出し、記録用にＪＰＥＧ等の圧縮処理を施し、メモリインターフェース１１１を介して図３（ｂ）に示すメモリ１１２の静止画処理ワーク領域ｂ２に最初に記憶した画像の次のアドレスから記憶する。
【００４８】
そして記録回路１０９は最初の圧縮処理画像データを記録媒体に記録し終えると、メモリインターフェース１１１を介して図３（ｂ）に示すメモリ１１２の静止画処理ワーク領域ｂ２に引き続き記憶され圧縮された静止画データを読み出し、ＥＣＣ等の記録用の信号処理を行ない、出力端子１１０から出力し、不図示の記録媒体に撮影された静止画を記録する。以上のようにして連続撮影動作を繰り返す。
【００４９】
以上、説明したように静止画撮影時、高解像度プレビュー用メモリマップと連続静止画撮影用メモリマップを持ちメモリアロケーションが制御される。すなわち、１枚撮影する時は、高解像度プレビュー用マップに従ってメモリ制御を行ない、高解像度プレビュー画像を生成して高解像度プレビュー画像を撮影者に提供する。
【００５０】
また、連続撮影する時は、連続静止画撮影用メモリマップに従ってメモリ制御を行ない、圧縮した静止画が保存される領域を大きくとるようにし、さらにメモリへのプレビュー画像生成に関わるリアルタイムのアクセスを減らして静止画処理、記録回路のメモリアクセスレートが上がるようにした。従って、１枚撮影時は、撮影者がプレビュー画像と撮影された確認用の画像とも高解像度プレビュー画像を見て確認できるので、シャッターチャンス、フォーカス、画角等の確認もし易く、撮影した後の確認も容易なので撮影の失敗を防げる。
【００５１】
また連続撮影時は、静止画処理ワーク領域の大きさに従って連続撮影枚数を多くとることができ、また静止画処理回路や記録回路によるメモリアクセスレートを上げることができる。そのため、書き込み速度が遅い記録媒体を用いた場合でも、連写撮影間隔も短かくして高機能な連続撮影用として使うことができる。
【００５２】
例えば、１９２０画素×１０８０画素の画像データに比べ、７２０画素×４８０画素の画像データの画素数は１／６となるため、メモリに対するアクセス期間も約１／６で済む。そのため、連写間隔も短くすることができる。
【００５３】
また、通常撮影時に比べ、連写時におけるプレビューワーク領域のサイズが、１／６となるため、その分だけ多くの撮影画像をメモリに蓄積しておくことができる。例えば、プレビューワーク領域のサイズが１／６に削減されたことにより増加した静止画処理ワーク領域に対し、７２０画素×４８０画素の圧縮前の静止画像データを約１０画面分蓄積することができる。そのため、例えば、１９２０画素×１０８０画素の高解像度静止画像データの情報量を１／６に圧縮して記録する場合には、この増加した領域に対し、圧縮した高解像度静止画像データを１０画面分蓄積可能となる。
【００５４】
尚、標準解像度プレビュー画像生成回路１０５は、メモリインターフェース１１１を介して図３（ａ）に示すメモリ１１２のカメラ画像データワーク領域ａ１からカメラ画像データを直接読み出して標準解像度プレビュー画像を生成してもよい。
＜実施形態２＞
図２は本発明の静止画像記録装置の第２の実施形態について説明するための機能ブロック図である。第１の実施形態と同じ働きをするものは同じ番号が付してある。以下、前記の第１の実施形態と異なる箇所のみ説明する。
【００５５】
図２の２０１は出力端子１０７に外部のモニタ等の表示装置が接続されたかを検出するための検出回路である。第２の実施形態において、出力端子１０７は信号端子１０７ａと接続確認端子１０７ｂの２つの端子を有する。検出回路２０１は出力端子１０７の接続確認端子１０７ｂに接続され、外部の表示装置が接続されているかを検出する。例えば接続確認端子１０７ｂの電圧を検出し、ある閾値を越えると外部の表示装置が接続されたと検出する。検出回路２０１が、外部表示装置が接続されていることを検出すると制御回路１１３にその旨の信号を供給する。
【００５６】
制御回路１１３は検出回路２０１から外部表示装置が接続されている信号を受けると、スイッチ回路１０６の端子は端子ａを選択するようにし、さらにメモリインターフェース１１１に対して、図３（ａ）に示す高解像度プレビュー用マップのメモリアロケーションでメモリ１１２にアクセスするように設定する。
【００５７】
ここで図３（ａ）に示すプレビューワーク領域ａ３は、例えば高解像度プレビュー画像として１９２０画素×１０８０の画像を少なくとも画面以上は置けるだけの領域がある。前記の設定での静止画撮影は第１の実施形態で説明したのと同様であるので省略する。
【００５８】
次に検出回路２０１が、外部表示装置が接続されていないとを検出すると制御回路１１３にその旨の信号を送出する。制御回路１１３は、メモリインターフェース１１１に対して、図３（ｂ）に示す連続静止画撮影用メモリマップのメモリアロケーションでメモリ１１２にアクセスするように設定する。
【００５９】
ここで図３（ｂ）に示すプレビューワーク領域ｂ３は、例えば標準解像度プレビュー画像として７２０画素×４８０画像を少なくとも２画面以上は置けるだけの領域がある。さらに制御回路１１３はスイッチ回路１０６の可動端子ｃが固定端子ｂを選択するように設定し、高解像度プレビュー画像生成回路１０４の動作を停止する。前記の設定での静止画撮影は第１の実施形態で説明したのと同様であるのでその説明は省略する。
【００６０】
以上、説明したように、出力端子１０７に高解像度表示用の外部表示装置が接続されているかどうかを検出するようにし、外部表示装置が接続されている時には、高解像度プレビュー用マップに従ってメモリ制御を行ない、高解像度プレビュー画像を生成して高解像度プレビュー画像を撮影者に提示する。また、外部表示装置が接続されていない時は連続静止画撮影用メモリマップに従ってメモリ制御を行なうようにした。従って撮影者は外部表示装置を接続した時はプレビュー画像と撮影された確認用の画像とも高精細な画像を見て撮影が行なうことが出来、外部の部表示装置が接続されていない時は連続静止画撮影を行なうこと出来る。
【００６１】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００６２】
この場合、記憶媒体から読出されたプログラムコード自体が前述した実施形態の機能を実現することになり、そのプログラムコードを記憶した記憶媒体は本発明を構成することになる。
【００６３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。
【００６４】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００６５】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【符号の説明】
【００６６】
１０１  撮像部
１０２  カメラ信号処理回路
１０３  静止画処理回路
１０４  高解像度プレビュー画像生成回路
１０５  標準解像度プレビュー画像生成回路
１０７  出力端子
１０７ｂ  接続確認端子
１０８  表示装置
１０９  記録回路
１１３  制御回路
１１２  メモリ
１１４  モード入力部
１１５  シャッター回路
２０１  検出回路
【図面の簡単な説明】
【００６７】
【図１】本発明の第１の実施形態の静止画像記録装置を説明するための機能ブロック図を示す。
【図２】本発明の第２の実施形態の静止画像記録装置を説明するための機能ブロック図を示す。
【図３】本発明の第１及び第２の実施形態におけるメモリの割り当てを説明するための図を示す。
【図１】
2007104501.tif 000003
【図２】
2007104501.tif 000004
【図３】
2007104501.tif 000005